【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
複数の流れ経路と、その中に画定されたフィルタキャビティとを有する基板ブロック上に実装するように適合されたフィルタハウジングであって、
該フィルタキャビティは、該薄型フィルタが用いられるときに、概して水平な方向に延在するように画定され、
第１の流路は、該フィルタハウジングの入口を該フィルタキャビティの第１の部分に接続するように画定され、
第２の流路は、該フィルタキャビティの第２の部分を該フィルタハウジングの出口に接続するように画定された、フィルタハウジングと、
該フィルタキャビティ内に配置され、該フィルタキャビティの表面に封着されたフィルタを備えるフィルタアセンブリであって、該フィルタは、該フィルタキャビティを、該フィルタキャビティの第１の部分と該フィルタキャビティの第２の部分とを含む隣接部分に分離する、フィルタアセンブリと
を備える、薄型フィルタ。
【請求項２】
前記フィルタアセンブリは、
前記フィルタと、該フィルタを貫流することを可能にするように構成された前記フィルタキャビティの表面とに連結されたアダプタとをさらに備える、請求項１に記載の薄型フィルタ。
【請求項３】
前記フィルタは、ガスが概して水平な方向に貫流するように列設されているディスクフィルタである、請求項２に記載の薄型フィルタ。
【請求項４】
前記フィルタは、チューブフィルタである、請求項１に記載の薄型フィルタ。
【請求項５】
前記アダプタは、前記フィルタキャビティの表面に連結されて、締まり嵌めシールを形成する、請求項４に記載の薄型フィルタ。
【請求項６】
前記アダプタは、溶接シールによって前記フィルタキャビティの表面に連結される、請求項４に記載の薄型フィルタ。
【請求項７】
前記アダプタと前記フィルタキャビティの表面との間に介在するガスケットをさらに備える、請求項４に記載の薄型フィルタ。
【請求項８】
前記第１の流路は、前記フィルタハウジングの底部にある入口から、前記フィルタキャビティの第１の部分に通じ、前記第２の流路は、該フィルタキャビティの第２の部分から、該フィルタハウジングの最上部にある出口に通じる、請求項４に記載の薄型フィルタ。
【請求項９】
前記フィルタハウジングは、前記フィルタハウジングの最上部にある第２の入口から、前記フィルタハウジングの底部にある第２の出口まで通過する通路をさらに画定する、請求項８に記載の薄型フィルタ。
【請求項１０】
前記第１の流路は、前記フィルタハウジングの最上部にある入口から、前記フィルタキャビティの第１の部分に通じ、前記第２の流路は、該フィルタキャビティの第２の部分から、該フィルタハウジングの底部にある出口に通じる、請求項４に記載の薄型フィルタ。
【請求項１１】
前記フィルタハウジングは、該フィルタハウジングの最上部にある第２の入口から、該フィルタハウジングの底部にある第２の出口まで通過する通路をさらに画定する、請求項９に記載の薄型フィルタ。
【請求項１２】
前記フィルタアセンブリは、
前記フィルタキャビティの表面に連結されたアダプタと、
フィルタとして作用する１つ以上の管と、
該１つ以上の管と該アダプタとの間に介在する封着材と
をさらに備える、請求項１に記載の薄型フィルタ。
【請求項１３】
前記第１の流路は、前記フィルタハウジングの底部にある入口から、前記フィルタキャビティの第１の部分に通じ、前記第２の流路は、該フィルタキャビティの第２の部分から、該フィルタハウジングの最上部にある出口に通じる、請求項１２に記載の薄型フィルタ。
【請求項１４】
前記フィルタハウジングは、該フィルタハウジングの最上部にある第２の入口から、該フィルタハウジングの底部にある第２の出口まで通過する通路をさらに画定する、請求項１３に記載の薄型フィルタ。
【請求項１５】
前記第１の流路は、前記フィルタハウジングの最上部にある入口から、前記フィルタキャビティの第１の部分に通じ、前記第２の流路は、該フィルタキャビティの第２の部分から、該フィルタハウジングの底部にある出口に通じる、請求項１２に記載の薄型フィルタ。
【請求項１６】
前記フィルタハウジングは、前記フィルタハウジングの最上部にある第２の入口から、該フィルタハウジングの底部にある第２の出口まで通過する通路をさらに画定する、請求項１５に記載の薄型フィルタ。
【請求項１７】
前記フィルタアセンブリは、第１のフィルタキャビティ内に配置された第１のフィルタを備える第１のフィルタアセンブリであって、前記薄型フィルタは、
第２のフィルタキャビティ内に配置され、該第２のフィルタキャビティを隣接部分に分離する第２のフィルタを備える第２のフィルタアセンブリであって、前記フィルタハウジングは、該第２のフィルタキャビティを画定する、第２のフィルタアセンブリをさらに備える、請求項１に記載の薄型フィルタ。
【請求項１８】
前記第１のフィルタアセンブリは、前記フィルタに連結され、前記第１のフィルタキャビティの表面に封着された第１のアダプタをさらに備え、
前記第２のフィルタアセンブリは、前記第２のフィルタに連結され、前記第２のフィルタキャビティの表面に封着された第２のアダプタを備える、請求項１７に記載の薄型フィルタ。
【請求項１９】
前記第１のフィルタおよび第２のフィルタは、ディスクフィルタである、請求項１７に記載の薄型フィルタ。
【請求項２０】
前記第１のフィルタおよび第２のフィルタは、チューブフィルタである、請求項１７に記載の薄型フィルタ。
【請求項２１】
前記第１の流路は、前記フィルタハウジングの底部にある入口から、前記第１のフィルタキャビティの前記第１の部分、および前記第２のフィルタキャビティの前記第１の部分に通じ、前記第２の流路は、該第１のフィルタキャビティの前記第２の部分から、該フィルタハウジングの最上部にある出口に通じ、
該フィルタハウジングは、該第２のフィルタキャビティの前記第２の部分から、該フィルタハウジングの最上部にある出口に通じる第３の流路を画定する、請求項１８に記載の薄型フィルタ。
【請求項２２】
前記フィルタハウジングは、該フィルタハウジングの最上部にある入口から、該フィルタハウジングの底部にある出口への第４の流路をさらに画定する、請求項２１に記載の薄型フィルタ。
【請求項２３】
前記第１の流路は、前記フィルタハウジングの最上部にある入口から、前記第１のフィルタキャビティの前記第１の部分、および前記第２のフィルタキャビティの前記第１の部分に通じ、前記第２の流路は、該第１のフィルタキャビティの前記第２の部分から、該フィルタハウジングの底部にある出口に通じ、
該フィルタハウジングは、該第２のフィルタキャビティの前記第２の部分から、該フィルタハウジングの底部にある出口に通じる第３の流路を画定する、
請求項１８に記載の薄型フィルタ。
【請求項２４】
前記フィルタハウジングは、該フィルタハウジングの底部にある入口から、該フィルタハウジングの最上部にある出口への第４の流路をさらに画定する、請求項２３に記載の薄型フィルタ。
【請求項２５】
前記第１の流路は、前記フィルタハウジングの底部にある入口から、前記第１のフィルタキャビティの前記第１の部分、および前記第２のフィルタキャビティの前記第１の部分に通じ、前記第２の流路は、該第１のフィルタキャビティの前記第２の部分から、該フィルタハウジングの底部の出口に通じ、
該フィルタハウジングは、該第２のフィルタキャビティの前記第２の部分から、該フィルタハウジングの底部にある出口へと通じる第３の流路を画定する、
請求項１８に記載の薄型フィルタ。
【請求項２６】
基板ブロックにフィルタを実装することと、
ガスをフィルタハウジングの入口から、概して水平である第１のフィルタキャビティへ導くことと、
該ガスを概して水平方向に第１のフィルタアセンブリに流入させ、第１のフィルタを通し該ガスを濾過することと、
該ガスを該第１のフィルタキャビティから、該フィルタハウジングの出口へ導くことと
を含む、薄型フィルタを用いてガスを濾過する方法。
【請求項２７】
前記第１のフィルタアセンブリに前記ガスを貫流させることは、ディスクフィルタに該ガスを貫流させることをさらに含む、請求項２６に記載の方法。
【請求項２８】
前記第１のフィルタアセンブリに前記ガスを貫流させることは、チューブフィルタに該ガスを貫流させることをさらに含む、請求項２６に記載の方法。
【請求項２９】
前記ガスを前記第１のフィルタキャビティへ導く前に、基板ブロックから該ガスを受け取り、該ガスを濾過した後に、前記フィルタハウジングの最上部に実装された構成要素に該ガスを放出することをさらに含む、請求項２８に記載の方法。
【請求項３０】
前記ガスを前記第１のフィルタキャビティへ導く前に、前記フィルタハウジングの最上部に実装された構成要素から該ガスを受け取り、該ガスを濾過した後に、該フィルタハウジングの下部の基板ブロックに該ガスを放出することをさらに含む、請求項２８に記載の方法。
【請求項３１】
前記ガスをフィルタハウジングの入口から、概して水平な第２のフィルタキャビティへ導くことと、
該ガスを概して水平方向に第２のフィルタアセンブリに流入させ、フィルタを通して該ガスを濾過することと、
該ガスを該第２のフィルタキャビティから、該フィルタハウジングの前記出口へ導くことと
をさらに含む、請求項２８に記載の方法。
【請求項３２】
前記ガスを前記第１のフィルタキャビティと第２のフィルタキャビティとへ導く前に、基板ブロックから該ガスを受け取り、該ガスを濾過した後に、前記フィルタハウジングの最上部に実装された構成要素に該ガスを放出することをさらに含む、請求項３１に記載の方法。
【請求項３３】
前記ガスを前記第１のフィルタキャビティへ導く前に、前記フィルタハウジングの最上部に実装された構成要素から該ガスを受け取り、該ガスを濾過した後に、該フィルタハウジングの下部の基板ブロックに該ガスを放出することをさらに含む、請求項３１に記載の方法。
【請求項３４】
前記ガスを前記第１のフィルタキャビティへ導く前に、基板ブロックから該ガスを受け取り、該ガスを濾過した後に、前記フィルタハウジングの最上部に実装された構成要素に前記ガスを放出することと、
該ガスを該構成要素から、概して水平な第２のフィルタキャビティへ導くことと、
該ガスを概して水平方向に第２のフィルタアセンブリに流入させ、フィルタを通して該ガスを濾過することと、
該ガスを該第２のフィルタキャビティから、該フィルタハウジングの前記出口へ導くことと
をさらに含む、請求項２８に記載の方法。
【請求項３５】
複数の流れ経路と、その中に画定されたフィルタキャビティとを有する基板ブロック上に実装するように適合されたフィルタハウジングであって、
該フィルタキャビティは、フィルタが該基板ブロック上に実装されるときに、一方向に延在するように画定され、
第１の流路は、該フィルタハウジングの入口を該フィルタキャビティの第１の部分に連結するように画定され、
第２の流路は、該フィルタキャビティの第２の部分を該フィルタハウジングの出口に連結するように画定される、フィルタハウジングと、
第１のフィルタアセンブリであって、
少なくとも１つの管を備える第１のフィルタと、
該フィルタに連結され、該フィルタキャビティの表面に封着されたアダプタであって、該フィルタを貫流することを可能にするように構成された、アダプタと
を備え、
該フィルタキャビティの第１の部分と、該フィルタキャビティの第２の部分とを含む隣接部分にフィルタキャビティを分離する、フィルタアセンブリと、
を備える、フィルタ。
【請求項３６】
前記方向は水平である、請求項３５に記載のフィルタ。
【請求項３７】
前記方向は垂直である、請求項３５に記載のフィルタ。
【請求項３８】
前記アダプタは、前記フィルタキャビティの表面に連結され、締まり嵌めシールを形成する、請求項３５に記載のフィルタ。
【請求項３９】
前記アダプタは、溶接シールによって、前記フィルタキャビティの表面に連結される、請求項３５に記載のフィルタ。
【請求項４０】
前記アダプタと前記フィルタキャビティの表面との間に介在するガスケットをさらに備える、請求項３５に記載のフィルタ。
【請求項４１】
前記第１の流路は、前記フィルタハウジングの底部にある入口から、前記フィルタキャビティの第１の部分に通じ、前記第２の流路は、該フィルタキャビティの第２の部分から、該フィルタハウジングの最上部にある出口に通じる、請求項３５に記載のフィルタ。
【請求項４２】
前記フィルタハウジングは、該フィルタハウジングの最上部にある第２の入口から、該フィルタハウジングの底部にある第２の出口まで通過する通路をさらに画定する、請求項３５に記載のフィルタ。
【請求項４３】
前記第１の流路は、前記フィルタハウジングの最上部にある入口から、前記フィルタキャビティの第１の部分に通じ、前記第２の流路は、該フィルタキャビティの第２の部分から、該フィルタハウジングの底部にある出口に通じる、請求項３５に記載のフィルタ。
【請求項４４】
前記フィルタハウジングは、該フィルタハウジングの最上部にある第２の入口から、前記フィルタハウジングの底部にある第２の出口まで通過する流路をさらに画定する、請求項４３に記載のフィルタ。
【請求項４５】
前記フィルタは、複数の管を備え、前記フィルタアセンブリは、該複数の管と前記アダプタとの間に介在する封着材をさらに備える、請求項３５に記載のフィルタ。
【請求項４６】
前記第１の流路は、前記フィルタハウジングの底部にある入口から、前記フィルタキャビティの第１の部分に通じ、前記第２の流路は、該フィルタキャビティの第２の部分から、該フィルタハウジングの最上部にある出口に通じる、請求項４５に記載のフィルタ。
【請求項４７】
前記フィルタハウジングは、該フィルタハウジングの最上部にある第２の入口から、該フィルタハウジングの底部にある第２の出口まで通過する流路をさらに画定する、請求項４５に記載のフィルタ。
【請求項４８】
前記第１の流路は、前記フィルタハウジングの最上部にある入口から、前記フィルタキャビティの第１の部分に通じ、前記第２の流路は、該フィルタキャビティの第２の部分から、該フィルタハウジングの底部にある出口に通じる、請求項４５に記載のフィルタ。
【請求項４９】
前記フィルタハウジングは、該フィルタハウジングの最上部にある第２の入口から、該フィルタハウジングの底部にある第２の出口まで通過する通路をさらに画定する、請求項４８に記載のフィルタ。
【請求項５０】
第２のフィルタキャビティ内に配置され、前記第２のフィルタキャビティを隣接部分の中に分離する第２のフィルタを備える第２のフィルタアセンブリであって、前記フィルタハウジングは、該第２のフィルタキャビティを画定し、前記フィルタアセンブリおよびフィルタキャビティは、第１のフィルタアセンブリおよび第１のフィルタキャビティである、第２のフィルタアセンブリを備える、請求項３５に記載のフィルタ。
【請求項５１】
前記第１の流路は、前記フィルタハウジングの底部にある入口から、前記第１のフィルタキャビティの前記第１の部分、および前記第２のフィルタキャビティの前記第１の部分に通じ、前記第２の流路は、該第１のフィルタキャビティの前記第２の部分から、該フィルタハウジングの最上部にある出口に通じ、
該フィルタハウジングは、該第２のフィルタキャビティの前記第２の部分から、該フィルタハウジングの最上部にある出口に通じる第３の流路を画定する、請求項５０に記載のフィルタ。
【請求項５２】
前記フィルタハウジングは、該フィルタハウジングの最上部にある入口から、該フィルタハウジングの底部にある出口への第４の流路をさらに画定する、請求項５１に記載のフィルタ。
【請求項５３】
前記第１の流路は、前記フィルタハウジングの最上部にある入口から、前記第１のフィルタキャビティの前記第１の部分、および前記第２のフィルタキャビティの前記第１の部分に通じ、前記第２の流路は、該第１のフィルタキャビティの前記第２の部分から、該フィルタハウジングの底部にある出口に通じ、
該フィルタハウジングは、該第２のフィルタキャビティの前記第２の部分から、該フィルタハウジングの底部にある出口への第３の流路を画定する、請求項５０に記載のフィルタ。
【請求項５４】
前記フィルタハウジングは、該フィルタハウジングの底部にある入口から、該フィルタハウジングの最上部にある出口への第４の流路をさらに画定する、請求項５３に記載のフィルタ。
【請求項５５】
前記第１の流路は、前記フィルタハウジングの底部にある入口から、前記第１のフィルタキャビティの前記第１の部分、および前記第２のフィルタキャビティの前記第１の部分に通じ、前記第２の流路は、該第１のフィルタキャビティの前記第２の部分から、該フィルタハウジングの底部にある出口に通じ、
該フィルタハウジングは、該第２のフィルタキャビティの前記第２の部分から、該フィルタハウジングの底部にある出口への第３の流路を画定する、
請求項５０に記載のフィルタ。